(57)【要約】【課題】  外付けされる監視装置によって各分岐装置の使用状況の把握を可能とし、過負荷状態に対する保守を容易化する。【解決手段】  ヒューズやブレーカー等の過電流保護手段２１の接続有無を各分岐装置の負荷側の電圧値を計測することで、あるいは過電流保護手段２１と連動して動作する機械式接点を検知することで、外部接続される監視端末４にその状態（接続の有無）を表示させる。また、計測した各分岐装置２の電流値が所定値を超えた場合に監視端末４に対して警報表示して注意を喚起する。更に、計測した電流値と電圧値に基づき積算電力量を算出して監視端末４に表示する。【選択図】      図１
2005151739.tif 000002
【特許請求の範囲】
【請求項１】
直流電力の供給を受け、当該直流電力を複数の負荷装置に個別に分岐して出力する過電流保護手段を備えた分岐装置であって、
前記それぞれの負荷装置における前記過電流保護手段の接続の有無を検知する接続有無検知部と、
前記それぞれの負荷装置の電流値を計測し、予め設定された所定の値と比較する電流比較部と、
前記電流比較部による比較の結果によっては警報を発生する警報生成部と、
を備えたことを特徴とする分岐装置。
【請求項２】
前記電流計測部によって計測される電流値と、前記接続有無検知部を介して計測される電圧値に基づき積算電力量を算出する積算電力量算出部を更に備えることを特徴とする請求項１に記載の分岐装置。
【請求項３】
前記接続有無検知部は、前記過電流保護手段と連動して動作する機械式接点を検出し、電気信号に変換して接続の有無を検知することを特徴とする請求項１に記載の分岐装置。
【請求項４】
交流電力を直流電力に変換し、当該直流電力を、個別に過電流保護手段を備えた分岐装置を介してそれぞれの負荷装置に供給する整流装置であって、
前記それぞれの負荷装置における前記過電流保護手段の接続の有無を検知する接続有無検知部と、
前記それぞれの負荷装置の電流値を計測し、予め設定された所定の値と比較する電流比較部と、
前記電流比較部による比較結果によっては警報を発生する警報生成部と、
前記電流計測部によって計測される電流値と、前記接続有無検知部を介して計測される電圧値に基づき積算電力量を算出する積算電力量算出部と、
を備えたことを特徴とする整流装置。
【請求項５】
直流電力の供給を受け、当該直流電力を複数の負荷装置に個別に分岐して出力する過電流保護手段を備えた分岐装置に用いられるプログラムであって、
前記それぞれの負荷装置における前記過電流保護手段の接続の有無を検知するステップと、
前記それぞれの負荷装置の電流値を計測し、予め設定された所定の値と比較するステップと、
前記比較結果によっては警報を発生するステップと、
をコンピュータに実行させるプログラム。
【請求項６】
交流電力を直流電力に変換し、当該直流電力を、個別に過電流保護手段を備えた分岐装置を介してそれぞれの負荷装置に供給する整流装置に用いられるプログラムであって、
前記それぞれの負荷装置における前記過電流保護手段の接続の有無を検知するステップと、
前記それぞれの負荷装置の電流値を計測し、予め設定された所定の値と比較するステップと、
前記比較結果によっては警報を発生するステップと、
前記電流計測部によって計測される電流値と、前記接続有無検知部を介して計測される電圧値に基づき積算電力量を算出するステップと、
をコンピュータに実行させるプログラム。
【発明の詳細な説明】
【技術分野】
【０００１】
本発明は、直流電力の供給を受け、当該直流電力を複数の負荷装置に個別に分岐して出力する分岐装置および整流装置ならびにプログラムに関する。
【背景技術】
【０００２】
従来の整流装置において、直流電力を複数の負荷装置に分岐して供給する場合、当該整流装置を構成する各分岐装置には、基幹を保護する目的でヒューズもしくはブレーカー等の過電流保護手段を搭載していた（例えば、特許文献１参照）。
【特許文献１】特開平８−７９９８７号公報（段落００１３、図１）
【発明の開示】
【発明が解決しようとする課題】
【０００３】
上記した従来技術によれば、分岐装置が多くなるほど個々の接続の有無、電流および電力使用の状況が不明確になり、新規に負荷装置を導入する際の可否、電流過負荷状態における迅速な処置に支障をきたすことがあった。
また、負荷装置の使用電力は、負荷装置毎その消費電力が異なるため、使用状況の把握が困難であり、せっかく低消費電力の負荷装置を導入してもその効果が見えないとい問題があった。
【０００４】
本発明は上記事情に鑑みてなされたものであり、外付けされる監視装置によって各分岐装置の使用状況の把握を可能とし、このことにより、過負荷状態に対する保守を容易化した分岐装置および整流装置ならびにプログラムを提供することを目的とする。
【課題を解決するための手段】
【０００５】
上記した課題を解決するために本発明は、直流電力の供給を受け、当該直流電力を複数の負荷装置に個別に分岐して出力する過電流保護手段を備えた分岐装置であって、前記それぞれの負荷装置における前記過電流保護手段の接続の有無を検知する接続有無検知部と、前記それぞれの負荷装置の電流値を計測し、予め設定された所定の値と比較する電流比較部と、前記比較結果によっては警報を発生する警報生成部と、を備えたことを特徴とする。
【０００６】
また、本発明において、前記電流計測部によって計測される電流値と、前記接続有無検知部を介して計測される電圧値に基づき積算電力量を算出する積算電力量算出部を更に備えることを特徴とする。
【０００７】
また、本発明において、前記接続有無検知部は、前記過電流保護手段と連動して動作する機械式接点を検出し、電気信号に変換して接続の有無を検知することを特徴とする。
【０００８】
上記した課題を解決するために本発明は、交流電力を直流電力に変換し、当該直流電力を、個別に過電流保護手段を備えた分岐装置を介してそれぞれの負荷装置に供給する整流装置であって、前記それぞれの負荷装置における前記過電流保護手段の接続の有無を検知する接続有無検知部と、前記それぞれの負荷装置の電流値を計測し、予め設定された所定の値と比較する電流比較部と、前記比較結果によっては警報を発生する警報生成部と、前記電流計測部によって計測される電流値と、前記接続有無検知部を介して計測される電圧値に基づき積算電力量を算出する積算電力量算出部と、を備えたことを特徴とする。
【０００９】
上記した課題を解決するために本発明は、直流電力の供給を受け、当該直流電力を複数の負荷装置に個別に分岐して出力する過電流保護手段を備えた分岐装置に用いられるプログラムであって、前記それぞれの負荷装置における前記過電流保護手段の接続の有無を検知するステップと、前記それぞれの負荷装置の電流値を計測し、予め設定された所定の値と比較するステップと、前記比較結果によっては警報を発生するステップと、をコンピュータに実行させることを特徴とする。
【００１０】
上記した課題を解決するために本発明は、交流電力を直流電力に変換し、当該直流電力を、個別に過電流保護手段を備えた分岐装置を介してそれぞれの負荷装置に供給する整流装置に用いられるプログラムであって、前記それぞれの負荷装置における前記過電流保護手段の接続の有無を検知するステップと、前記それぞれの負荷装置の電流値を計測し、予め設定された所定の値と比較するステップと、前記比較結果によっては警報を発生するステップと、前記電流計測部によって計測される電流値と、前記接続有無検知部を介して計測される電圧値に基づき積算電力量を算出するステップと、をコンピュータに実行させることを特徴とする。
【発明の効果】
【００１１】
本発明によれば、ヒューズやブレーカー等の過電流保護手段の接続有無を各分岐装置の負荷側の電圧値を計測し、あるいは過電流保護手段と連動して動作する機械式接点を検知することで、外部接続される監視端末（ＰＣ等）にその状態（接続の有無）を表示させることができ、また、計測した各分岐装置の電流値が所定値を超えた場合に監視端末に対して警報表示して注意を喚起するものである。このことにより、各分岐装置の使用状況の把握が可能となる。
更に、計測した電流値と電圧値に基づき積算電力量を算出して監視端末（ＰＣ等）に表示することで、過負荷状態の監視等、保守運営を容易化した分岐装置および整流装置を提供することができる。
【発明を実施するための最良の形態】
【００１２】
図１は、本発明の分岐装置および整流装置の概略内部構成を示す図である。図１において、符号１は整流装置である。整流装置１は、２００Ｖの商用電源（ＡＣ）を入力とし、ここではＤＣ−４８Ｖに整流出力する複数の整流ユニット（ＲＦ・Ｕ）を核に、複数の分岐装置２を含み、これら分岐装置２を介してそれぞれの負荷装置３へ直流電流を供給している。分岐装置２はそれぞれヒューズまたはブレーカー等の過電流保護手段を搭載している。
なお、符号１２、２２は、それぞれ整流ユニット１１、分岐装置２を制御し、外部接続される監視端末４と交信するために用意されたコントローラである。コントローラ２２の内部構成についてのみ後述する。
【００１３】
図２は、図１に示すコントローラ２２の内部構成を機能展開して示したブロック図である。
コントローラ２２は、機能的に、接続有無検知部２２１と、電流計測部２２２と、電流比較部２２３と、警報生成部２２４と、積算電力量算出部２２５と、通信部２２６と、閾値ＴＢＬ（Table）２２７に大別されで構成される。
【００１４】
接続有無検知部２２１は、それぞれの負荷装置３における過電流保護手段２１の接続の有無を検知する機能を持ち、負荷装置３側の電圧値を計測して所定の値と比較することで判定するか、過電流保護手段の機械式接点を検知することで接続の有無を判定する。
図４に、後者の判定原理が示されている。すなわち、接続有無検知部２２１は、過電流保護手段２１と連動して動作する機械式接点ＳＷを検出し、電気信号に変換して接続の有無を検知することができる。ここでは、ブレーカーを例示したが、ヒューズについても同様、ヒューズボックスにこの仕組みを流用することで検知が可能である。ここでは、前者の負荷装置３側の電圧値を計測して所定の値と比較することで接続の有無を判定する原理を用いることとする。
【００１５】
説明を図２に戻す。電流計測部２２２は、それぞれの負荷装置３の電流値を計測して電流値比較部２２３の一方の入力端へ供給する。電流比較部２２３の他方の入力端には、閾値ＴＢＬ２２７から予め設定された所定の値が比較対象として供給されている。警報生成部２２４は、電流比較部２２３からの出力を得て通信部２２６を介し、分岐装置２が持つＬＥＤ、もしくは外部接続される監視端末４へ警報を発生し出力する。
なお、積算電力量算出部２２５は、電流計測部２２２によって計測される電流値と、接続有無検知部２２１を介して計測される電圧値に基づき積算電力量を算出して通信部２２６を介し外付けされる監視端末４へ供給する。
【００１６】
図３は、本発明実施形態の動作を説明するために引用したフローチャートである。以下、図３に示すフローチャートを参照しながら図１、図２に示す整流装置および分岐装置の動作について詳細に説明する。
【００１７】
まず、分岐装置２の接続有無検知部２２１は、負荷装置３側の分岐電圧値（α）を読み込み（Ｓ３１）、これを過電圧設定値（Ｖ）と比較（α：Ｖ）する（Ｓ３２）。ここで、分岐電圧値（α）が過電圧設定値（Ｖ）よりも小さい（α＜Ｖ）ときは、過電圧であると判断し、過電圧警報を発生する（Ｓ３９）とともに、その旨を監視端末（ＰＣ等）４に表示する。一方、分岐電圧値（α）が過電圧設定値（Ｖ）以上（α≧Ｖ）のときは、次に、分岐電流値を読み込み（Ｓ３３）、読み込んだ分岐電流値（β）が過電流設定値（Ｉ）とを比較する。比較の結果、分岐電流値（β）が過電流設定値（Ｉ）以上（β≧Ｉ）であるときは、過電流であると判断し、過電圧警報を発生する（Ｓ４０）とともに、その旨を監視端末（ＰＣ等）４に表示する。一方、分岐電流値（β）が過電流設定値（Ｉ）よりも小さい（β＜Ｉ）ときは、その電圧値および電流値を監視端末（ＰＣ）４に表示し（Ｓ３５）、Ｓ３１の処理に戻る。
【００１８】
なお、ここでは、比較対象を閾値として実数として提供することとしたが、例えば、過電流保護手段２１がヒューズの場合７５％未満、ブレーカーの場合、８０％未満等とし、実際に計測された電流値と演算することによっても同様の結果が得られる。
【００１９】
次に、積算電力量算出部２２５は、電流計測部２２２によって計測された電流値と、接続有無検知部２２１を介して計測された電圧値に基づき、両者を掛け合わせることで積算電力量を算出する（Ｓ３６）。
上記した積算電力量を含む諸々得られるデータは、監視端末４から電力画面ボタンをクリックした度に定期的に発行されるポーリング（Ｓ３７）に対する応答として通信部２２６を介して監視端末４へ送信される（Ｓ３８）。応答を受信した監視端末４では、それらのデータを表示モニタへ表示し、保守員に注意を喚起する。
【００２０】
以上説明のように、本発明によれば、ヒューズやブレーカー等の過電流保護手段２１の接続有無を各分岐装置の負荷側の電圧値を計測することで、あるいは過電流保護手段２１と連動して動作する機械式接点を検知することで、外部接続される監視端末４にその状態（接続の有無）を表示させることができ、また、計測した各分岐装置２の電流値が所定値を超えた場合に監視端末４に対して警報表示して注意を喚起するものである。このことにより、各分岐装置４の使用状況の把握が可能となる。
更に、積算電力量算出部２２５で計測した電流値と電圧値に基づき積算電力量を算出して監視端末４に表示することで、過負荷状態の監視等、保守運営を容易化した分岐装置２および整流装置１を提供するものである。
【００２１】
なお、ここでは整流装置１に監視端末４が接続されたスタンドアロンシステムで整流装置１の運転状態の監視を行う構成を示したが、ＬＡＮ（Local Area Network）を構築して監視端末４を遠隔配置することで運転状態の遠隔監視も実現が可能である。
また、図２に示す、接続有無検知部２２１、電流計測部２２２、電流比較部２２３、警報生成部２２４、積算電力量算出部２２５、通信部２２６のそれぞれで実行される手順をコンピュータ読み取り可能な記録媒体に記録し、この記録媒体に記録されたプログラムをコンピュータシステムに読み込ませ、実行することによっても本発明を実現することができる。ここでいうコンピュータシステムとは、ＯＳや周辺機器等のハードウェアを含む。
【００２２】
また、「コンピュータシステム」は、ＷＷＷシステムを利用している場合であれば、ホームページ提供環境（あるいは表示環境）も含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００２３】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００２４】
【図１】本発明の分岐装置および整流装置の内部構成を示す図である。
【図２】図１に示すコントローラ２２の内部構成を機能展開して示したブロック図である。
【図３】本発明実施形態の動作を説明するために引用したフローチャートである。
【図４】本発明で使用される過電流保護手段の接続有無検知のための動作原理を説明するために引用した図である。
【符号の説明】
【００２５】
２…分岐装置、３…負荷装置、４…監視端末、２２１…接続有無検知部、２２２…電流計測部、２２３…電流比較部、２２４…警報生成部、２２５…積算電力量算出部、２２６…通信部、２２７…閾値ＴＢＬ
【図１】
2005151739.tif 000003
【図２】
2005151739.tif 000004
【図３】
2005151739.tif 000005
【図４】
2005151739.tif 000006